(57)【特許請求の範囲】
【請求項１】
複数の障害物に関する情報を検出する障害物検出手段と、
自車両が前記障害物の現在位置に最接近するまでの余裕時間を算出する余裕時間算出手段と、
前記余裕時間が経過したときの前記障害物の将来位置を推定する将来位置推定手段と、
前記自車両が回避すべき回避対象領域を設定する回避対象領域設定手段と、
前記回避対象領域を回避する走行経路を設定する走行経路設定手段と、を備え、
前記回避対象領域設定手段は、前記将来位置を含む領域における前記自車両と前記障害物との衝突リスクポテンシャルを評価し、前記衝突リスクポテンシャルに基づいて、それぞれの前記障害物に対応する前記回避対象領域を設定し、移動可能な動的障害物に対応する前記回避対象領域と、移動しない静的障害物に対応する前記回避対象領域とが重複する場合に、前記静的障害物に対応する前記回避対象領域を拡張することを特徴とする運転支援装置。
【請求項２】
前記走行経路設定手段により前記走行経路を設定した後に、前記障害物の現在位置に基づいて、前記将来位置推定手段により推定された前記将来位置の妥当性を評価する推定結果評価手段と、
前記推定結果評価手段により前記将来位置が妥当でないと評価された場合に、前記将来位置を修正する将来位置修正手段と、
前記将来位置修正手段により修正された前記将来位置に応じて、前記回避対象領域を修正する回避対象領域修正手段と、
前記回避対象領域修正手段により修正された前記回避対象領域を回避するように前記走行経路を修正する走行経路修正手段と、を更に備えることを特徴とする請求項１記載の運転支援装置。
【請求項３】
前記回避対象領域設定手段は、前記障害物の種類に基づいて前記衝突リスクポテンシャルを評価することを特徴とする請求項１又は２記載の運転支援装置。
【請求項４】
前記障害物の種類ごとに前記衝突リスクポテンシャルのパターンを記憶するリスクパターン記憶手段を更に備え、
前記回避対象領域設定手段は、前記リスクパターン記憶手段に記憶された前記パターンのうち、前記障害物の種類に対応する前記パターンに基づいて、前記衝突リスクポテンシャルを評価することを特徴とする請求項３記載の運転支援装置。
【請求項５】
前記回避対象領域設定手段は、前記障害物の向きに基づいて、前記衝突リスクポテンシャルを評価することを特徴とする請求項１〜４のいずれか一項記載の運転支援装置。
【発明の詳細な説明】
【技術分野】
【０００１】
本発明は、障害物を回避するための運転支援を行う運転支援装置に関する。
【背景技術】
【０００２】
従来、このような運転支援装置としては、障害物の現在位置及び将来位置を含む領域を回避するように運転支援の操作量を算出するものが知られている（例えば、特許文献１参照）。
【先行技術文献】
【特許文献】
【０００３】
【特許文献１】特開２００７−２５３７４５号公報
【発明の概要】
【発明が解決しようとする課題】
【０００４】
上記運転支援装置では、障害物の移動を想定して運転支援の操作量が算出されるため、障害物との衝突を効果的に回避することができる。
【０００５】
しかしながら、自車両と障害物との距離が大きい場合、即ち自車両が障害物の現在位置に最接近するまでの時間が長い場合には、障害物の移動距離が大きくなり、回避すべき領域が大きくなる。このため、運転支援の操作量が必要以上に大きくなるという問題があった。特に、自車両が障害物の現在位置に最接近するまでの間に、障害物が自車両の進路外まで移動する場合には、本来必要のない回避支援を行ってしまうという問題があった。
【０００６】
本発明の目的は、不必要な回避支援を削減することができる運転支援装置を提供することである。
【課題を解決するための手段】
【０００７】
本発明に係る運転支援装置は、複数の障害物に関する情報を検出する障害物検出手段と、自車両が障害物の現在位置に最接近するまでの余裕時間を算出する余裕時間算出手段と、余裕時間が経過したときの障害物の将来位置を推定する将来位置推定手段と、自車両が回避すべき回避対象領域を設定する回避対象領域設定手段と、回避対象領域を回避する走行経路を設定する走行経路設定手段と、を備え、回避対象領域設定手段は、将来位置を含む領域における自車両と障害物との衝突リスクポテンシャルを評価し、衝突リスクポテンシャルに基づいて、、それぞれの障害物に対応する回避対象領域を設定し、移動可能な動的障害物に対応する回避対象領域と、移動しない静的障害物に対応する回避対象領域とが重複する場合に、静的障害物に対応する回避対象領域を拡張することを特徴とする。
【０００８】
このような運転支援装置では、余裕時間が経過したときの障害物の将来位置が推定され、将来位置を含む領域における自車両と障害物との衝突リスクポテンシャルのみに基づいて回避対象領域が設定される。そして、設定された回避対象領域を回避する走行経路が設定される。このため、余裕時間が大きく、障害物の移動距離が大きい場合でも、回避対象領域は広くならず、不必要な回避支援が削減される。特に、障害物の移動距離が大きく、回避対象領域が自車両の走行経路から外れている場合には、回避支援を行わない走行経路を選択することができ、不必要な回避支援が大幅に削減される。
【０００９】
好ましくは、走行経路設定手段により走行経路を設定した後に、障害物の現在位置に基づいて、将来位置推定手段により推定された将来位置の妥当性を評価する推定結果評価手段と、推定結果評価手段により将来位置が妥当でないと評価された場合に、将来位置を修正する将来位置修正手段と、将来位置修正手段により修正された将来位置に応じて、回避対象領域を修正する回避対象領域修正手段と、回避対象領域修正手段により修正された回避対象領域を回避するように走行経路を修正する走行経路修正手段と、を更に備える。この場合、将来位置の推定結果が妥当でないときに、障害物の将来位置、回避対象領域、及び走行経路が修正され、障害物との衝突をより確実に回避する運転支援が可能となる。
【００１０】
回避対象領域設定手段は、複数の障害物が検出された場合に、それぞれの障害物に対応する回避対象領域を設定し、回避対象領域同士が重複する場合に、いずれかの回避対象領域を拡張する。このため、いずれかの障害物を他の障害物が回避しようとする動きに対応した回避対象領域が得られ、障害物との衝突をより確実に回避する運転支援が可能となる。
【００１１】
また、好ましくは、回避対象領域設定手段は、障害物の種類に基づいて衝突リスクポテンシャルを評価する。この場合、障害物の種類ごとに適切な回避対象領域を設定することができる。
【００１２】
また、好ましくは、障害物の種類ごとに衝突リスクポテンシャルのパターンを記憶するリスクパターン記憶手段を更に備え、回避対象領域設定手段は、リスクパターン記憶手段に記憶されたパターンのうち、障害物の種類に対応するパターンに基づいて、衝突リスクポテンシャルを評価する。この場合、現実に即した衝突リスクポテンシャルのパターンを記憶しておき、障害物の種類ごとにより適切な回避対象領域を設定することが可能となる。
【００１３】
また、好ましくは、回避対象領域設定手段は、障害物の向きに基づいて、衝突リスクポテンシャルを評価する。この場合、障害物の向きに応じてより適切な回避対象領域を設定することができる。
【発明の効果】
【００１４】
本発明に係る運転支援装置によれば、不必要な回避支援を削減することができる。
【図面の簡単な説明】
【００１５】
【図１】本発明に係る運転支援装置の第１実施形態を示すブロック図である。
【図２】第１実施形態で行われる運転支援手順を示すフローチャートである。
【図３】回避対象領域の例を示す図である。
【図４】走行経路設定の例を示す図である。
【図５】第２実施形態で行われる運転支援手順を示すフローチャートである。
【図６】回避対象領域の修正の例を示す図である。
【図７】第３実施形態で行われる運転支援手順を示すフローチャートである。
【図８】回避対象領域の拡張の例を示す図である。
【発明を実施するための形態】
【００１６】
以下、本発明に係る運転支援装置の好適な実施形態について、図面を参照しながら詳細に説明する。なお、図面において、同一又は同等の要素には同じ符号を付し、重複する説明は省略する。
【００１７】
まず、本発明に係る運転支援装置の第１実施形態について説明する。図１は、本発明に係る運転支援装置の第１実施形態を示すブロック図である。図１に示すように、運転支援装置１は、障害物検出装置２と、ナビゲーション装置３と、リスクパターンＤＢ４と、障害物位置予測ＤＢ５と、操舵角制御装置６と、加減速制御装置７と、ＥＣＵ（Ｅｌｅｃｔｒｏｎｉｃ  Ｃｏｎｔｒｏｌ  Ｕｎｉｔ）８と、を備えている。
【００１８】
障害物検出装置２は、例えば、車外カメラ、レーダ等により、障害物に関する情報を検出する装置である。ここでは、障害物に関する情報として、障害物の位置、種類、及び向きが検出される。レーダとしては、例えば、レーザレーダやミリ波レーダ等が挙げられる。
【００１９】
ナビゲーション装置３は、自車両の周辺地図情報を生成する装置である。ナビゲーション装置３は、例えば、ＧＰＳ受信機９と地図ＤＢ１０とを有し、ＧＰＳ受信機９により取得した自車両の現在位置情報と、地図ＤＢ１０とを対比することで、自車両の周辺地図情報を生成する。ナビゲーション装置３により生成された周辺地図情報から、例えば、走行中の道路の側壁や路側帯等を検出することができる。この側壁等も、衝突を回避すべき対象であり、障害物の一種として扱い得るものである。従って、ナビゲーション装置３も、障害物検出装置２と共に障害物検出手段として機能し得る。
【００２０】
リスクパターンＤＢ４は、障害物の種類ごとに衝突リスクポテンシャルのパターンを記憶したデータベースである。リスクパターンＤＢ４は、例えば車載の記憶装置に構成されている。ここで、衝突リスクポテンシャルとは、自車両と障害物とが衝突する可能性を意味する。衝突リスクポテンシャルのパターンとは、衝突リスクポテンシャルが最も高い位置を基準位置として、基準位置及びその周辺位置における衝突リスクポテンシャルの分布を示すパターンである。障害物が人間である場合に対応するパターンは、例えば、人間の前後方向で大きく、左右方向で小さく設定されている。これは、人間の存在位置のばらつきが、人間が移動し易い前後方向で大きくなると仮定したものである。
【００２１】
障害物位置予測ＤＢ５は、後述する障害物の将来位置の推定結果を記憶しておくデータベースである。推定結果を記憶しておくことで、障害物の将来位置の推定結果と、障害物の実際の移動軌跡と、を対比し、推定結果の妥当性を評価することができる。障害物位置予測ＤＢ５は、例えば車載の記憶装置に構成されている。なお、本実施形態では、推定結果の妥当性の評価は行わないので、障害物位置予測ＤＢ５はなくてもよい。
【００２２】
操舵角制御装置６は、例えば、ステアリングアクチュエータを介し、自車両の操舵角又は操舵トルクを制御する装置である。
【００２３】
加減速制御装置７は、例えば、スロットルアクチュエータやブレーキアクチュエータを介し、自車両の始動、停止、及び加減速を制御する装置である。
【００２４】
ＥＣＵ８は、図２に示す手順により、運転支援制御を行う。まず、ＥＣＵ８は、障害物検出装置２を用い、障害物の現在位置、種類、及び向きを検出する（ステップＳ１）。
【００２５】
続いて、ＥＣＵ８は、自車両の速度を用い、ＴＴＣ（Ｔｉｍｅ  Ｔｏ  Ｃｏｌｌｉｓｉｏｎ）、即ち障害物検出装置２によって検出された障害物の現在位置に自車両が最接近するまでの余裕時間を算出する（ステップＳ２）。このように、ＥＣＵ８は、余裕時間算出手段として動作する。
【００２６】
ＴＴＣを算出すると、障害物の速度ベクトルを推定する（ステップＳ３）。障害物の速度ベクトルは、例えば、障害物の種類及び向きから推定することができる。例えば、障害物が右方向を向いた人間である場合には、右方向に向いた時速約４〜６ｋｍ／ｈの速度ベクトルが推定される。
【００２７】
障害物の速度ベクトルを推定すると、ＴＴＣ及び速度ベクトルを用い、ＴＴＣ経過後の障害物の将来位置を推定する（ステップＳ４）。このように、ＥＣＵ８は、将来位置推定手段として動作する。
【００２８】
自車両と障害物との衝突リスクポテンシャルは、上記将来位置で最も高くなると推定される。そこで、上記将来位置を基準に、その周辺位置の衝突リスクポテンシャルの分布を生成する（ステップＳ５）。即ち、リスクパターンＤＢ４に記憶されたパターンのうち、障害物の種類に対応するパターンを取得し、そのパターンの基準位置を上記将来位置に合わせ、そのパターンの向きを障害物の向きに合わせることで、上記将来位置の周辺位置における衝突リスクポテンシャルの分布を生成する。
【００２９】
このように、障害物の種類に基づいて衝突リスクポテンシャルを評価することで、障害物の種類ごとに適切な衝突リスクポテンシャルを設定することができる。また、現実に即した衝突リスクポテンシャルのパターンをリスクパターンＤＢ４に記憶しておき、そのパターンに基づいて衝突リスクポテンシャルの分布を生成することで、現実に即した衝突リスクポテンシャルの分布を生成することができる。更に、障害物の向きにパターンの向きを合わせることで、より適切な衝突リスクポテンシャルの分布を生成することができる。
【００３０】
なお、リスクパターンＤＢ４を用いずに、衝突リスクポテンシャルの分布を生成してもよい。例えば、下記式（１）により、衝突リスクポテンシャルの分布を算出することができる。式（１）において、Ｘ軸は、障害物の左右方向に平行で、Ｙ軸は、障害物の前後方向に平行とする。また、原点は任意とする。
【数１】
0005617677.tif 000002
Ｘ：任意の点のＸ座標
Ｙ：任意の点のＹ座標
Ｘｐ：障害物の将来位置のＸ座標
Ｙｐ：障害物の将来位置のＹ座標
σＸ：Ｘｐの標準偏差
σＹ：Ｙｐの標準偏差
【００３１】
続いて、衝突リスクポテンシャルの分布に基づいて、回避対象領域（衝突リスクポテンシャルマップ）を設定する（ステップＳ６）。このように、ＥＣＵ８は、回避対象領域設定手段として動作する。回避対象領域は、例えば、衝突リスクポテンシャルがある閾値以上となる範囲とされる。
【００３２】
図３を参照し、回避対象領域について説明する。図３は、障害物の将来位置１１が推定され、将来位置１１に対応する回避対象領域（衝突リスクポテンシャルマップ）１２が設定された状態を示している。ここでは、障害物は人間であり、図示右方向を向いているものとする。図３（ａ）は、人間の衝突リスクポテンシャルのパターンが、人間の前後方向で大きく、人間の左右方向で小さく設定されている場合を示している。この場合、回避対象領域１２は、将来位置１１に対し図示左右方向に延びた形状となる。図３（ｂ）は、人間の衝突リスクポテンシャルのパターンが、人間の前方で大きく、後方及び左右方向で小さく設定されている場合を示している。この場合、回避対象領域１２は、将来位置１１に対し図示右方向に延びた形状となる。
【００３３】
回避対象領域を設定すると、図２に示すように、回避対象領域を回避する走行経路を設定する（ステップＳ７）。このように、ＥＣＵ８は、走行経路設定手段として動作する。
【００３４】
図４を参照し、回避対象領域を回避する走行経路について説明する。図４は、自車両１３の障害物が現在位置１４にあり、その将来位置１１が推定され、将来位置１１に対応する回避対象領域（衝突リスクポテンシャルマップ）１２が設定された場合を示している。図４（ａ）は、回避対象領域１２が自車両１３の現在の進路１５を妨げる場合を示している。この場合、回避対象領域１２を回避する走行経路１６が設定される。図４（ｂ）は、図４（ａ）に比べＴＴＣが大きいために、ＴＴＣ経過までに障害物が大きく移動し、回避対象領域１２が自車両１３の現在の進路１５から外れている場合を示している。この場合、現在の進路１５を維持する走行経路１６が設定される。このように、ＴＴＣが大きく、障害物の移動距離が大きい場合でも、回避対象領域１２は広くならず、不必要な回避支援が削減される。特に、図４（ｂ）のような場合には、回避支援を全く行わない走行経路を選択することができ、不必要な回避支援が大幅に削減される。
【００３５】
走行経路を設定すると、図２に示すように、走行経路に応じた操舵、加減速等の操作パターンを算出する（ステップＳ８）。そして、操舵角制御装置６及び加減速制御装置７を用い、運転支援を実行する（ステップＳ９）。
【００３６】
次に、本発明に係る運転支援装置の第２実施形態について説明する。第２実施形態の構成は第１実施形態と同じであり、ＥＣＵ８が行う運転支援手順のみが異なる。
【００３７】
第２実施形態のＥＣＵ８は、図５に示す手順により、運転支援制御を行う。まず、第１実施形態と同様に障害物の情報を検出し（ステップＳ１０）、ＴＴＣを算出する（ステップＳ１１）。
【００３８】
続いて、検出した障害物に対する初回の処理であるかを判定する（ステップＳ１２）。具体的には、障害物位置予測ＤＢ５に、将来位置の前回の推定結果が記憶されていない場合に、初回の処理であると判定し、将来位置の前回の推定結果が記憶されている場合に、初回の処理でないと判定する。
【００３９】
初回の処理である場合には、第１実施形態と同様に障害物の速度ベクトルを推定し（ステップＳ１３）、ＴＴＣ経過後の障害物の将来位置を推定し（ステップＳ１４）、推定結果を障害物位置予測ＤＢ５に記憶する（ステップＳ１５）。続いて、第１実施形態と同様に、衝突リスクポテンシャルの分布を生成し（ステップＳ１６）、回避対象領域を設定し（ステップＳ１７）、走行経路を設定し（ステップＳ１８）、操作パターンを算出し（ステップＳ１９）、運転支援を実行する（ステップＳ２０）。
【００４０】
一方、初回の処理でない場合には、障害物位置予測ＤＢ５に記憶された前回の推定結果を用い、前回推定した障害物の将来位置は正しいかどうかを判定する（ステップＳ２１）。このように、ＥＣＵ８は、推定結果評価手段として動作する。具体的には、前回の処理で検出した障害物の現在位置から、今回の処理で検出した障害物の現在位置へ向かう軌跡が、前回推定した障害物の将来位置へ向かっているかを判定する。上記軌跡が、障害物の将来位置へ向かっている場合には、前回推定した障害物の将来位置は正しいと判定する。上記軌跡が、障害物の将来位置へ向かっていない場合には、前回推定した障害物の将来位置は正しくないと判定する。前回推定した障害物の将来位置は正しいと判定すると、前回の処理で実行を開始した運転支援を継続する（ステップＳ２２）。
【００４１】
一方、前回推定した障害物の将来位置は正しくないと判定すると、障害物の速度ベクトルを再度推定する（ステップＳ２３）。ここでは、前回の処理で検出した障害物の現在位置から、今回の処理で検出した障害物の現在位置までのベクトルを、障害物の速度ベクトルとする。続いて、ＴＴＣ経過後の障害物の将来位置を推定し（ステップＳ２４）、推定結果を障害物位置予測ＤＢ５に記憶する（ステップＳ２５）。このように、ＥＣＵ８は、将来位置修正手段として動作する。
【００４２】
以後、新たに推定した障害物の将来位置を基準として衝突リスクポテンシャルの分布を生成し（ステップＳ２６）、回避対象領域を設定し（ステップＳ２７）、走行経路を設定し（ステップＳ２８）、操作パターンを算出し（ステップＳ２９）、運転支援を実行する（ステップＳ３０）。このように、ＥＣＵ８は、回避対象領域修正手段及び走行経路修正手段として動作する。
【００４３】
図６を参照し、前回推定した障害物の将来位置が正しくないと判定された場合の処理を説明する。図６は、前回の処理で検出した障害物の現在位置１４ａから、今回の処理で検出した障害物の現在位置１４ｂへ向かう軌跡が、前回推定した障害物の将来位置１１ａに向かっていない状況を示している。将来位置１１ａに対しては、回避対象領域１２ａが設定されている。この状況では、前回検出した現在位置１４ａから、今回検出した現在位置１４ｂへ向かうベクトル１７が、障害物の速度ベクトルであると推定される。そして、このベクトル１７と現在位置１４ｂとに基づいて、障害物の将来位置１１ｂが推定され、将来位置１１ｂを基準として回避対象領域１２ｂが設定される。
【００４４】
このように、第２実施形態では、障害物の将来位置の推定結果が妥当でない場合に、障害物の将来位置、回避対象領域、及び走行経路が修正され、障害物との衝突をより確実に回避する運転支援が可能となる。
【００４５】
次に、本発明に係る運転支援装置の第３実施形態について説明する。第３実施形態の構成も、第１実施形態と同じであり、ＥＣＵ８が行う運転支援手順のみが異なる。
【００４６】
第３実施形態のＥＣＵ８は、図７に示す手順により、運転支援制御を行う。まず、第１実施形態と同様に障害物の情報を検出する。更に、第３実施形態では、ナビゲーション装置３を用い、自車両が走行している道路の側壁や路側帯等に関する情報を検出する（ステップＳ３１）。このように、第３実施形態では、障害物検出装置２及びＥＣＵ８は、移動可能な動的障害物を検出する動的障害物検出手段として機能し、ナビゲーション装置３及びＥＣＵ８は、移動しない静的障害物を検出する静的障害物検出手段として機能する。
【００４７】
続いて、情報が検出された障害物の全てについて、第１実施形態と同様にＴＴＣを算出し（ステップＳ３２）、障害物の速度ベクトルを推定し（ステップＳ３３）、ＴＴＣ経過後の障害物の将来位置を推定し（ステップＳ３４）、衝突リスクポテンシャルの分布を生成し（ステップＳ３５）、回避対象領域を設定する（ステップＳ３６）。
【００４８】
続いて、障害物は一つかどうかを判定する（ステップＳ３７）。障害物が一つである場合には、第１実施形態と同様に走行経路を設定し（ステップＳ３８）、操作パターンを算出し（ステップＳ３９）、運転支援を実行する（ステップＳ４０）。
【００４９】
一方、障害物が一つでない場合には、各障害物の回避対象領域同士が重複しているかどうかを判定する（ステップＳ４１）。回避対象領域同士が重複していない場合には、ステップＳ３８に戻る。回避対象領域同士が重複している場合には、いずれかの回避対象領域を拡張し（ステップＳ４２）、ステップＳ３８に移る。特に、本実施形態では、障害物検出装置２により検出された動的障害物の回避対象領域と、ナビゲーション装置３により検出された静的障害物の回避対象領域と、が重複している場合に、ナビゲーション装置３により検出された静的障害物の回避対象領域を拡張する。
【００５０】
図８を参照し、回避対象領域を拡張する処理を説明する。図８は、障害物検出装置２により歩行者の現在位置１４が検出され、ナビゲーション装置３により道路の側壁の現在位置１８が検出されている状況を示している。また、図８では、歩行者の将来位置１１が推定され、将来位置１１を基準に回避対象領域１２が設定されている。更に、側壁の回避対象領域１９ａが設定され、回避対象領域１２と回避対象領域１９ａとは重複している。この状況では、側壁の回避対象領域１９ａが、回避対象領域１９ｂに拡張される。
【００５１】
このように、本実施形態では、歩行者が側壁に近づくと、側壁との衝突を回避し、側壁に沿って歩くことに対応した回避対象領域が得られる。即ち、いずれかの障害物を他の障害物が回避しようとする動きに対応した回避対象領域が得られ、障害物との衝突をより確実に回避する運転支援が可能となる。また、動的障害物の回避対象領域と静的障害物の回避対象領域とが重複している場合には、静的障害物を動的障害物が回避しようとする動きに対応した回避対象領域が得られ、障害物との衝突をより確実に回避する運転支援が可能となる。
【００５２】
なお、図８では、動的障害物として歩行者が検出され、静的障害物として道路の側壁が検出された場合を例示したが、これに限られない。例えば、動的障害物として歩行者と車両とが検出され、歩行者の回避対象領域と車両の回避対象領域とが重複している場合が考えられる。このような場合には、ＥＣＵ８は、例えば、歩行者の回避対象領域と、車両の回避対象領域と、の双方を拡張してもよい。即ち、動的障害物同士で回避対象領域が重複している場合には、双方の回避対象領域を拡張してもよい。この場合、動的障害物同士が互いに回避しあう動きに対応した回避対象領域が得られ、障害物との衝突をより確実に回避する運転支援が可能となる。
【符号の説明】
【００５３】
１…運転支援装置、２…障害物検出装置（障害物検出手段）、３…ナビゲーション装置（障害物検出手段）、４…リスクパターンＤＢ、５…障害物位置予測ＤＢ（推定結果評価手段）、８…ＥＣＵ（障害物検出手段、余裕時間算出手段、将来位置推定手段、回避対象領域設定手段、走行経路設定手段、推定結果評価手段）。
【図１】
0005617677.tif 000003
【図２】
0005617677.tif 000004
【図３】
0005617677.tif 000005
【図４】
0005617677.tif 000006
【図５】
0005617677.tif 000007
【図６】
0005617677.tif 000008
【図７】
0005617677.tif 000009
【図８】
0005617677.tif 000010